【事件の表示】
　特願２０１４−１１６０２５「遊技機」拒絶査定不服審判事件〔平成２６年１１月２７日出願公開、特開２０１４−２２１２２１〕について、次のとおり審決する。
【結　論】
　本件審判の請求は、成り立たない。
【理　由】
第１　手続の経緯  
　本願は、平成２０年８月２６日に出願した特願２００８−２１７３１４号の一部を平成２６年６月４日に新たな特許出願（特願２０１４−１１６０２５号）としたものであって、平成２７年６月２４日付けで拒絶の理由が通知され、平成２７年８月３１日に意見書及び手続補正書が提出されたところ、平成２８年２月２５日付けで拒絶査定がなされ、それに対して、平成２８年５月３０日に拒絶査定不服審判の請求がなされると同時に明細書及び特許請求の範囲に係る手続補正がなされたものである。
　
第２　平成２８年５月３０日付けの手続補正についての補正却下の決定  
［補正却下の決定の結論］  
　平成２８年５月３０日付けの手続補正（以下「本件補正」という。）を却下する。 　
［理由］  
１　補正の内容
　本件補正は、特許請求の範囲を補正する内容を含んでおり、本件補正により、特許請求の範囲の請求項１は、
「【請求項１】
　変動表示を行ない、遊技者にとって有利な特定状態に制御可能な遊技機であって、
　前記特定状態に制御するか否かを決定する決定手段と、
　前記決定手段による決定に基づいて、変動表示を実行する変動表示実行手段と、
　前記決定手段による決定に基づいて、前記特定状態に制御される可能性があることを報知する複数の予告演出のうちから実行する予告演出を決定する予告演出決定手段と、
　前記予告演出決定手段により決定された予告演出を実行する予告演出実行手段とを備え、
　前記予告演出決定手段は、
　　予告演出を実行しない予告演出不実行種別、および、予告演出を実行する演出態様に基づいて分類された複数種類の予告演出実行種別を含む演出種別のうちいずれかを決定する種別決定手段と、
　　前記種別決定手段により前記予告演出不実行種別が決定されずに前記予告演出実行種別のいずれかが決定されたときに、決定された前記予告演出実行種別に属する予告演出のうちから実行する予告演出を決定する予告決定手段とを含む、遊技機。」
から、
「【請求項１】
Ａ　変動表示を行ない、遊技者にとって有利な特定状態に制御可能な遊技機であって、
Ｂ　前記特定状態に制御するか否かを決定する決定手段と、
Ｃ　前記決定手段による決定に基づいて、変動表示を実行する変動表示実行手段と、
Ｄ　前記決定手段による決定に基づいて、前記特定状態に制御される
ことを示唆
Ｅ　前記予告演出決定手段により決定された予告演出を実行する予告演出実行手段とを備え、
Ｆ　前記予告演出決定手段は、
Ｆ１　　予告演出を実行しない予告演出不実行種別、および、予告演出を実行する演出態様に基づいて分類された複数種類の予告演出実行種別を含む演出種別のうちいずれかを決定する種別決定手段と、
Ｆ２　　前記種別決定手段により前記予告演出不実行種別が決定され
たときに実行する予告演出を決定する処理を行なわず、前記種別決定手段により
に決
処理を行なう
に補正された（下線は、補正箇所を明示するために審決にて付した。また、当審においてＡ〜Ｆ２に分説した。）。
　
２　補正の適否について
　上記補正は、補正前の請求項１に記載した発明を特定するために必要な事項である「予告演出決定手段」に関して、補正前の「特定状態に制御される可能性があることを報知する」を「特定状態に制御される
ことを示唆する
たときに実行する予告演出を決定する処理を行なわず、前記種別決定手段により
に決
処理を行なう
　そして、本件補正は、新規事項を追加するものではない。
　
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献１として引用された特開２００６−２４６９６４号公報（以下「刊行物１」という。）には、図面とともに以下の事項が記載されている（下線は審決で付した。以下同じ。）。  
（１−ａ）「【発明が解決しようとする課題】【０００３】
　一方、上述のような遊技機としては、表示装置に表示される表示結果が特定の表示結果となることを予告する予告演出を実行するものも知られている。しかしながら、従来の遊技機における予告表示は、基本的に、特別図柄の変動表示の所定または任意のタイミングで当否を予告する表示がなされるだけのものであり、今一歩面白みに欠けるといわざるを得ず、遊技者の期待感を高めると共に、遊技者に高揚感を与える上ではなお改善の余地があった。
【０００４】
　本発明は、このような事情に鑑みてなされたものであり、その目的は、遊技者を引きつける面白みのある予告演出を実行可能であり、娯楽性をより一層高めることができる弾球遊技機を提供することにある。」
（１−ｂ）「【０００７】
　また、予告演出モードごとの複数種類の予告要素間では、当否判定手段による判定結果と当該判定結果に対する遊技者の期待感との一致度合いを示す信頼度が異なっていてもよい。
【０００８】
　このように、予告要素間で上記信頼度を異ならせることにより、
予告要素による当否判定結果の予告を介して、遊技者に特別遊技状態への移行可能性をある程度判断させることができる
（１−ｃ）「【００３３】
　遊技球が始動口６２に落入すると、特別図柄表示装置６１および
演出表示装置６０において
変動表示が開始される
遊技者に有利な状態である特別遊技に移行する。
　・・・
【００３６】
　図３は、
ぱちんこ遊技機１
（１−ｄ）「【００３９】
　
当否判定手段１１４は、
特別遊技へ移行するか否かを判定する。
（１−ｅ）「【００４７】
　
装飾図柄決定手段１２２は
当否判定手段１１４による当否判定結果
に対応する装飾図柄の停止図柄を決定する
　・・・
【００５２】
　
予告演出決定手段１２５は
当否判定手段１１４による当否判定結果
予告演出の内容を決定するものである
ぱちんこ遊技機１
（１−ｆ）「【００５５】
　このため、
予告演出決定手段１２５は、
当否判定結果を遊技者に予告する際の予告演出モードを選択する演出モード選択手段１２７とを含む。
演出モード選択手段１２７は、遊技者によって選択された予告演出モードの組合せの中に複数の予告演出モードが含まれている場合に、当該複数の予告演出モードのうち、何れの予告演出モードのもとで当否判定結果を遊技者に予告するか決定する
【００５６】
　更に、
予告演出決定手段１２５は、予告要素選択手段１２８
を含む。予告要素選択手段１２８は、演出モード選択手段１２７よって決定された予告演出モードについて定められた複数の予告要素の中から、当否判定結果を遊技者に予告する際の予告要素を選択する。
予告要素は、
予告する際の演出の内容を規定する。
　・・・
【００５８】
　表示制御手段１４０は、特別図柄決定手段１２１により決定された変動パターンに従って特別図柄を特別図柄表示装置６１に変動表示させ、特別図柄決定手段１２１により決定された特別図柄の停止図柄を特別図柄表示装置６１に表示させる。また、
表示制御手段１４０は、装飾図柄決定手段１２２により決定された変動パターンに従って装飾図柄を演出表示装置６０に変動表示させる
表示制御手段１４０は、
予告演出決定手段１２５により決定された演出内容を演出画像として変動表示させる
（１−ｇ）「【００６８】
　図４は、予告演出モードの組合せを例示する図表である。上述のように、ぱちんこ遊技機１では、
遊技者が、予告演出の内容を規定する予告演出モードを設定できるようになっている。
【００６９】
　予告演出モードＡは、上述のデフォルトの予告演出モードとして設定されているものであり、予告演出にメインキャラクタＡを登場させる旨を規定するものである。また、予告演出モードＢ，Ｃ，ＤおよびＥは、予告演出にキャラクタＢ，Ｃ，ＤまたはＥを登場させる旨を規定するものである。キャラクタＡ，Ｂ，Ｃ，ＤおよびＥは、それぞれ異なるキャラクタとされ、例えば漫画やアニメーションの主要キャラクタの中から選択されると好ましく、メインキャラクタＡは、そのような漫画等の主人公とされるとよい。そして、ぱちんこ遊技機１において、遊技者は、予告演出モードＢ〜Ｅの中から、上述のようにデフォルトの予告演出モードＡと組み合わせる０〜２つの予告演出モードを選択することができる。
【００７０】
　従って、予告演出モードの組合せは、図４に示されるように、合計１１通りとなる。例えば、遊技者が操作ボタン１９を操作して、デフォルトの予告演出モードＡと組み合わせる予告演出モードとして予告演出モードＢおよびＣを選択した場合、上述のモード組合せ決定手段１２６は、予告演出モードの組合せが図４における「組合せ６」であると決定し、当該「組合せ６」に対応した予告パターンを演出パターン記憶手段１３０から抽選により選択する。予告パターンは、予告演出モードの組合せごとに、装飾図柄の変動時間に応じて複数種類用意される。そして、例えば「組合せ６」に対応した予告パターンは、キャラクタＡ，ＢおよびＣのうちの少なくとも何れかが何らかの動作を行う旨を規定する。同様に、他の予告演出モードの組合せに対応した予告パターンは、当該組合せに含まれる予告演出モードにより規定される全キャラクタが何らかの動作を行う旨を規定する。
　・・・
【００７２】
　図５に示されるように、「組合せ６」には、予告演出モードＡ，ＢおよびＣが含まれるので、この場合、
演出モード選択手段１２７は、
予告演出モードとして予告演出モードＡ，Ｂ，Ｃおよび予告演出無しモード（外れモード）の中の何れか一つを選択する
（１−ｈ）「【００７５】
　本実施形態において、共通演出は、効果音の発生や、予告演出モードによって規定されるもの以外のキャラクタの何らかの動作パターンを規定するものである。また、
予告演出無しモードについては、予告要素として、タ：何ら予告がなされない旨を規定するもののみが用意されている。
　・・・
【００７８】
　また、本実施形態では、何ら予告がなされない旨を規定する予告要素エ、ケおよびセについて、当否判定手段１１４の当否判定結果が当りを示す場合に選択される確率は何れも例えば０％とされる。また、予告演出無しモードの予告要素タについては、当否判定手段１１４の当否判定結果が当りを示す場合に選択される確率が０％とされる一方、当否判定手段１１４の当否判定結果が外れを示す場合に選択される確率が１００％とされる。」
（１−ｉ）「【００８２】
　なお、予告演出モードの組合せに含まれる予告演出モードや、予告演出モードに対応した予告演出要素の中には、例えば、当否判定手段１１４による当否判定結果が当たりを示す場合にのみ選択されるものが含まれていてもよい。これにより、遊技者は、そのような
予告演出モードや予告要素の出現により、「大当たり」状態になると判断することができる
【００８３】
　また、
当否判定手段１１４による当否判定結果が当りを示す場合に予告演出無しモードが選択され
（１−ｊ）「【００９２】
　図１０は、図９のＳ５１における予告演出内容の決定処理を説明するためのフローチャートである。予告演出内容の決定に際して、モード組合せ決定手段１２６は、先に決定した予告演出モードの組合せを示す情報を演出モード選択手段１２７に与える。更に、予告演出モードの組合せを決定すると、モード組合せ決定手段１２６は、装飾図柄決定手段１２２からの装飾図柄の変動パターン（変動時間）に関する情報を取得し、パターン抽選値を取得した上で、当該パターン抽選値に基づいて、演出パターン記憶手段１３０に記憶されている予告パターンの中から、決定した予告演出モードの組合せと装飾図柄の変動時間とに応じた予告パターンを選択する（Ｓ６０）。
【００９３】
　一方、モード組合せ決定手段１２６から予告演出モードの組合せに関する情報を受け取った
演出モード選択手段１２７は
何れの予告演出モードのもとで当否判定結果を遊技者に予告するか決定する（Ｓ６２）
【００９４】
　演出モード選択手段１２７から選択された予告演出モードに関する情報を受け取った
予告要素選択手段１２８は
予告演出モードに応じた予告要素を演出パターン記憶手段１３０から選択する（Ｓ６４）。
（１−ｋ）段落【００３３】、【００３６】の記載から、
演出表示装置６０において変動表示を行い、遊技者に有利な状態である特別遊技に移行可能なぱちんこ遊技機１
（１−ｌ）段落【００３９】の記載から、
当否判定手段１１４は特別遊技へ移行するか否かを判定する
（１−ｍ）段落【００５８】の記載から、表示制御手段１４０は、装飾図柄決定手段１２２により決定された変動パターンに従って装飾図柄を演出表示装置６０に変動表示させるものであり、段落【００４７】の記載から、装飾図柄決定手段１２２は、当否判定手段１１４による当否判定結果に対応する装飾図柄の停止図柄を決定するから、
表示制御手段１４０は、当否判定手段１１４による当否判定結果に基づいて演出表示装置６０に変動表示させる
（１−ｎ）段落【００５２】の記載から、予告演出決定手段１２５は、当否判定手段による判定結果に基づいて予告演出の内容を決定するものであり、段落【０００８】の記載から、予告演出の内容は特別遊技への移行可能性をある程度判断させることができるものといえるから、
予告演出決定手段１２５は、当否判定手段１１４による当否判定結果に基づいて、特別遊技への移行可能性をある程度判断させることができる予告演出の内容を決定する
（１−ｏ）段落【００５８】の記載から、
表示制御手段１４０は、予告演出決定手段１２５により決定された予告演出の内容を演出画像として変動表示する
（１−ｐ）段落【００６８】〜【００７０】の記載から、遊技者が予告演出の内容を規定する予告演出モードを設定できるようになっており、図４に示されるように１１通りの予告演出モードがある。その中から遊技者が「組合せ６」を選択した場合の例が図５に示されている。
　図５には、「演出なし」の予告演出モード（予告演出なしモード）を含むことが示されており、その横に「なし」の予告要素、当り時０％、外れ時１００％が示されている。
　段落【００７２】には、当否判定結果を遊技者に予告する際の予告演出モードとして、予告演出モードＡ，Ｂ，Ｃおよび予告演出なしモードの中の何れか一つを選択することが記載されており、段落【００８３】には、当りの時にも予告演出なしモードが選択されることが記載されている。
　以上のことを踏まえ、段落【００５５】の記載を加味すると、
演出モード選択手段１２７は、遊技者が予告演出モードの組合せを選択した場合に、当りの時も外れの時も当否判定結果を遊技者に予告する際の予告演出モードとして、複数の予告演出モード、および、予告演出なしモードのうち、何れかを選択する
（１−ｑ）図５には、「演出なし」の予告演出モード（予告演出なしモード）に「なし」の予告要素が対応し、段落【００７５】には、予告演出なしモードについては、予告要素として、何ら予告がなされない旨を規定するもののみが用意されていることが記載されている。
　また、段落【００５６】には「予告要素選択手段１２８は、演出モード選択手段１２７よって決定された予告演出モードについて定められた複数の予告要素の中から、当否判定結果を遊技者に予告する際の予告要素を選択する」と記載されているから、予告演出演出なしモードにおいては、外れ時に「なし」の予告要素が選択されるといえる。
　さらに、図５には、「演出なし」の予告演出モード（予告演出なしモード）は、１つの「なし」の予告要素のみが選択され、予告演出モードＡ〜Ｃの場合には、複数の予告要素から選択されることが示されているから、予告演出なしモード以外の予告演出モードについては、定められた複数の予告要素の中から、予告演出の内容を規定する予告要素が選択されるといえる。
　以上のことから、
予告要素選択手段１２８は、演出モード選択手段１２７によって選択された予告演出なしモードについては、「なし」の予告要素が選択され、演出モード選択手段１２７によって選択された予告演出なしモード以外の予告演出モードについては、定められた複数の予告要素の中から、予告演出の内容を規定する予告要素が選択される
　上記（１−ａ）〜（１−ｊ）の記載事項及び（１−ｋ）〜（１−ｑ）の認定事項を総合すると、刊行物１には、次の発明が記載されていると認められる（以下「刊行物１発明」という。）。
「ａ　演出表示装置６０において変動表示を行い、遊技者に有利な状態である特別遊技に移行可能なぱちんこ遊技機１であって、
ｂ　前記特別遊技へ移行するか否かを判定する当否判定手段１１４と、
ｃ　前記当否判定手段１１４による当否判定結果に基づいて演出表示装置６０に変動表示させる表示制御手段１４０と、
ｄ　前記当否判定手段１１４による当否判定結果に基づいて、特別遊技への移行可能性をある程度判断させることができる予告演出の内容を決定する予告演出決定手段１２５と、
ｅ　予告演出決定手段１２５により決定された予告演出の内容を演出画像として変動表示する表示制御手段１４０とを備え、
ｆ　前記予告演出決定手段１２５は、
ｆ１　　遊技者が予告演出モードの組合せを選択した場合に、当りの時も外れの時も当否判定結果を遊技者に予告する際の予告演出モードとして、複数の予告演出モード、および、予告演出なしモードのうち、何れかを選択する演出モード選択手段１２７と、
ｆ２’　演出モード選択手段１２７によって選択された予告演出なしモードについては、「なし」の予告要素が選択され、演出モード選択手段１２７によって選択された予告演出なしモード以外の予告演出モードについては、定められた複数の予告要素の中から、予告演出の内容を規定する予告要素が選択される予告要素選択手段１２８とを含む、ぱちんこ遊技機１。」
（２）刊行物２
　原査定の拒絶の理由に引用文献２として引用された特開２００１−５４６４４号公報（以下「刊行物２」という。）には、図面とともに以下の事項が記載されている。
（２−ａ）「【０００４】
【発明が解決しようとする課題】しかし、この種の従来の遊技機においては、可変表示装置によりリーチ表示態様が何の前兆もなく表示されるため、リーチ表示態様が可変表示装置で表示される前の段階から遊技者の期待感を盛り上げて遊技者を楽しませることがあまりできないという問題があった。
【０００５】本発明は、係る実情に鑑み考え出されたものであり、その目的は、リーチ表示態様が可変表示装置で表示される前の段階から遊技者の期待感を盛り上げることにより、興趣を向上させることを可能にする遊技機を提供することである。」
（２−ｂ）「【００２２】図３は、
パチンコ遊技機
可変表示装置の制御動作
【００２３】ステップＳ（以下単にＳという）１により、ランダム１カウンタのカウント値を読出す処理が行なわれる。この
ランダム１カウンタは、大当りを発生させるか否かを事前に決定する
メモリ内の１番古いカウント値がこのＳ１により読出される
３のときにはＳ２以降に示す大当りを発生させるための制御がなされ
３以外のときにはＳ１６以降に示す外れとなる制御が行なわれる
【００２４】Ｓ２では、ランダム２カウンタのカウント値における可変表示装置の左図柄を決定する値に合わせて、左図柄＝中図柄＝右図柄とする処理が行なわれる。ランダム２カウンタは、０からカウントアップしてその上限である１５進数のＥＥＥまでカウントアップした後再度０からカウントアップし直すものであり、可変表示装置４の停止図柄を決定するものである。そしてＳ２の処理により、ランダム２カウンタの左図柄用のカウント値部分により左図柄を決定し、その決定された左図柄と同じ図柄になるように中図柄と右図柄を揃える処理が行なわれる。その結果、可変表示装置４の可変停止時においては、左図柄と中図柄と右図柄とが同じ図柄となりぞろめの状態となり、大当り状態が発生する。次に
Ｓ３に進み、ランダム３カウンタのカウント値を読出す処理が行なわれる
読出されたカウント値が０のときにＳ４に進み、大当り予告１を行なうためのフラグがセットされる。ランダム３カウンタの値が１のときにはＳ５に進み、リーチ予告を行なうためのフラグがセットされる。
ランダム３カウンタの値が２のときにはＳ６に進み、予告なしの状態となり、直接Ｓ１１に進む。Ｓ４，Ｓ５の処理が行なわれた後にＳ７に進み、ランダム４カウンタのカウント値が読出される。
カウント値が０のときにはＳ８に進み、音，ランプ，ＬＥＤを制御する処理が行なわれる。
ランダム４カウンタの値が１のときには、Ｓ９に進み、可変表示装置４のＬＣＤ表示装置５の表示動作制御を行ない
ランダム４カウンタの値が２のときには、Ｓ１０に進み、ラッキーナンバー表示ＬＥＤを変動制御させる処理が行なわれる
（２−ｃ）「【００２６】次に、Ｓ１により読出されたランダム１カウンタのカウント値が３以外のときには、Ｓ１６に進み、ランダム２カウンタのカウント値を読出し、その読出されたランダム２カウンタのカウント値が、左図柄のカウント値と中図柄のカウント値と右図柄のカウント値とがすべて同じ値であった場合には、中図柄のカウント値に対し「１」を加算し、中図柄を強制的にずらしてぞろめとならないように制御される。これは、
ランダム１カウンタのカウント値が３以外の場合すなわち外れとする
このメモリ内のランダム１カウンタの値とは、前記Ｓ１で説明したメモリに対応して古い順に記憶されているランダム１カウンタの値のことである
可変表示装置４の今回の可変表示が終了した以降の可変表示により大当りが発生する場合には、Ｓ１９に進み、ランダム３カウンタのカウント値を読出す処理が行なわれる。
カウント値が０のときにＳ２１に進み、大当り予告２を行なうためのフラグがセットされてＳ２５に進む。一方、ランダム３カウンタの値が１のときにはＳ２２に進み、リーチ予告を行なうためのフラグがセットされてＳ２５に進む。ランダム３カウンタの値が２のときにはＳ２３に進み、予告なしの状態となり直接Ｓ２９に進む。
【００２７】
Ｓ２５では、ランダム４カウンタの値を読出し、その値が０のときにＳ２６に進み、音，ランプ，ＬＥＤを制御する処理が行なわれる
一方ランダム４カウンタの値が１のときには、Ｓ２７に進み
ＬＣＤ表示装置５の表示動作を行ない
ランダム４カウンタのカウント値が２のときには、Ｓ２８に進み、ラッキーナンバー表示ＬＥＤ２０をＬＣＤ表示装置の可変開始時から変動させ
　・・・
【００３０】一方、
Ｓ１６により読出されたランダム２カウンタの値の左と右の図柄の値が一致しない場合
ランダム３カウンタの値を読出し、その値が０あるいは１のときにＳ３５に進み、
ランダム３カウンタの値が２のときにＳ４０に進み、予告なしの状態となり直接Ｓ４１に進む。
【００３１】
Ｓ３６では、ランダム４カウンタの値を読出す処理が行なわれる。
　上記（２−ａ）〜（２−ｃ）の記載事項を総合すると、刊行物２には、次の事項が記載されている（以下「刊行物２記載の事項」という。）。
「可変表示装置の制御動作として、ランダム１カウンタのカウント値により大当りを発生させる制御がなされると決定された場合には、ランダム３カウンタのカウント値を読み出す処理が行われ（Ｓ３）、読み出されたカウント値により「大当り予告１」（Ｓ４）、「リーチ予告」（Ｓ５）、又は「予告なし」（Ｓ６）とするかを決定し、「大当り予告１」（Ｓ４）、「リーチ予告」（Ｓ５）の場合には、ランダム４カウンタのカウント値を読み出す処理（Ｓ７）により予告内容を決定し、「予告なし」（Ｓ６）の場合には上記ランダム４カウンタのカウント値を読み出す処理（Ｓ７）を行わずに次のステップに進み、
　ランダム１カウンタのカウント値により外れとなる制御がなされると決定され、ランダム２カウンタのカウント値が左図柄と右図柄が同じで中図柄だけ違うカウント値であった場合には、ランダム３カウンタのカウント値を読み出す処理が行われ（Ｓ１９）、読み出されたカウント値により「大当り予告２」（Ｓ２１）、「リーチ予告」（Ｓ２２）、又は「予告なし」（Ｓ２３）とするかを決定し、「大当たり予告２」（Ｓ２１）、「リーチ予告」（Ｓ２２）の場合には、ランダム４カウンタのカウント値を読み出す処理（Ｓ２５）により予告内容を決定し、「予告なし」（Ｓ６）の場合には上記ランダム４カウンタのカウント値を読み出す処理（Ｓ２５）を行わずに次のステップに進み、
　ランダム１カウンタのカウント値により外れとなる制御がなされると決定され、ランダム２カウンタのカウント値の左図柄と右図柄の値が一致しない場合には、ランダム３カウンタのカウント値を読み出す処理が行われ（Ｓ３４）、読み出されたカウント値により「大当り予告２」（Ｓ３５）、又は「予告なし」（Ｓ４０）とするかを決定し、「大当たり予告２」（Ｓ３５）の場合には、ランダム４カウンタのカウント値を読み出す処理（Ｓ３６）により予告内容を決定し、「予告なし」（Ｓ４０）の場合には上記ランダム４カウンタのカウント値を読み出す処理（Ｓ３６）を行わずに次のステップに進
む処理を行うパチンコ遊技機。」
（３）対比
　本願補正発明と刊行物１発明とを対比する（下記の（ａ）〜（ｆ２’）は、刊行物１発明の構成に対応している。）。
（ａ）刊行物１発明の「遊技者に有利な状態である特別遊技」は、本願補正発明の「遊技者にとって有利な特定状態」に相当する。
　よって、刊行物１発明の「演出表示装置６０において変動表示を行い、遊技者に有利な状態である特別遊技に移行可能なぱちんこ遊技機１」は、本願補正発明の「変動表示を行ない、遊技者にとって有利な特定状態に制御可能な遊技機」に相当する。
（ｂ）刊行物１発明の「特別遊技へ移行するか否かを判定する当否判定手段１１４」は、本願補正発明の「特定状態に制御するか否かを決定する決定手段」に相当する。
（ｃ）刊行物１発明の「当否判定手段１１４による当否判定結果に基づいて演出表示装置６０に変動表示させる表示制御手段１４０」は、本願補正発明の「決定手段による決定に基づいて、変動表示を実行する変動表示実行手段」に相当する。
（ｄ）刊行物１発明の「特別遊技への移行可能性をある程度判断させることができる予告演出」は、本願補正発明の「特定状態に制御されることを示唆する」「予告演出」に相当する。また、刊行物１の段落【００８２】には、予告演出に関して、「予告演出モードや予告要素の出現により」、「大当たり」状態になると判断することができる」と記載されていることからも、特定状態に制御されることを示唆していることが裏付けられる。
　さらに、刊行物１発明において、「予告演出決定手段１２５」は「複数の予告演出モード、および、予告演出なしモードのうち、何れかを選択する演出モード選択手段１２７」を含んでいるから、刊行物１発明の「予告演出決定手段１２５」は、「複数の予告演出のうちから実行する予告演出を決定する」といえる。
　よって、刊行物１発明の「当否判定手段１１４による当否判定結果に基づいて、特別遊技への移行可能性をある程度判断させることができる予告演出の内容を決定する予告演出決定手段１２５」は、本願補正発明の「決定手段による決定に基づいて、特定状態に制御されることを示唆する複数の予告演出のうちから実行する予告演出を決定する予告演出決定手段」に相当する。
（ｅ、ｆ）刊行物１発明の「予告演出決定手段１２５」は、本願補正発明の「予告演出決定手段」に相当するから、刊行物１発明の「予告演出決定手段１２５により決定された予告演出の内容を演出画像として変動表示する表示制御手段１４０」は、本願補正発明の「予告演出決定手段により決定された予告演出を実行する予告演出実行手段」に相当する。
（ｆ１）刊行物１発明の「予告演出モード」は、本願補正発明の「実行種別」に相当し、刊行物１発明の「予告演出モード」が予告演出を実行する演出態様に基づいて分類されたものであることは自明な事項である。
　よって、刊行物１発明の「遊技者が予告演出モードの組合せを選択した場合に、当りの時も外れの時も当否判定結果を遊技者に予告する際の予告演出モードとして、複数の予告演出モード、および、予告演出なしモードのうち、何れかを選択する演出モード選択手段１２７」は、本願補正発明の「予告演出を実行しない予告演出不実行種別、および、予告演出を実行する演出態様に基づいて分類された複数種類の予告演出実行種別を含む演出種別のうちいずれかを決定する種別決定手段」に相当する。
（ｆ２’）刊行物１発明の「予告要素」は、本願補正発明の「予告演出」に相当する。
　よって、刊行物１発明の「演出モード選択手段１２７によって選択された予告演出なしモードについては、外れ時に「なし」の予告要素が選択され、演出モード選択手段１２７によって選択された予告演出なしモード以外の予告演出モードについては、定められた複数の予告要素の中から、予告演出の内容を規定する予告要素が選択される予告要素選択手段１２８」と、本願補正発明の「種別決定手段により予告演出不実行種別が決定されたときに実行する予告演出を決定する処理を行なわず、種別決定手段により予告演出実行種別のいずれかが決定されたときに決定された予告演出実行種別に属する予告演出のうちから実行する予告演出を決定する処理を行なう予告決定手段」とは、「種別決定手段により予告演出実行種別のいずれかが決定されたときに決定された予告演出実行種別に属する予告演出のうちから実行する予告演出を決定する処理を行なう予告決定手段」である点で共通する。
　したがって、本願補正発明と刊行物１発明とは、
「Ａ　変動表示を行ない、遊技者にとって有利な特定状態に制御可能な遊技機であって、
Ｂ　前記特定状態に制御するか否かを決定する決定手段と、
Ｃ　前記決定手段による決定に基づいて、変動表示を実行する変動表示実行手段と、
Ｄ　前記決定手段による決定に基づいて、前記特定状態に制御されることを示唆する複数の予告演出のうちから実行する予告演出を決定する予告演出決定手段と、
Ｅ　前記予告演出決定手段により決定された予告演出を実行する予告演出実行手段とを備え、
Ｆ　前記予告演出決定手段は、
Ｆ１　　予告演出を実行しない予告演出不実行種別、および、予告演出を実行する演出態様に基づいて分類された複数種類の予告演出実行種別を含む演出種別のうちいずれかを決定する種別決定手段と、
Ｆ２’　前記種別決定手段により前記予告演出実行種別のいずれかが決定されたときに決定された前記予告演出実行種別に属する予告演出のうちから実行する予告演出を決定する処理を行なう予告決定手段とを含む、遊技機。」
である点で一致し、以下の点で相違する。
［相違点］
　予告決定手段に関して、本願補正発明は、「種別決定手段により予告演出不実行種別が決定されたときに実行する予告演出を決定する処理を行なわ」ないのに対して、刊行物１発明は、そのように特定されていない点。
（４）判断
ア　上記相違点について検討する。
　刊行物１発明における「演出モード選択手段１２７」（予告種別決定手段）は、「当りの時も外れの時も当否判定結果を遊技者に予告する際の予告演出モードとして、複数の予告演出モード、および、予告演出なしモードのうち、何れかを選択する」ものである。
　一方、刊行物２記載の事項における「ランダム３カウンタのカウント値を読み出す処理（Ｓ３）（Ｓ１９）」により「「予告なし」（Ｓ６）（Ｓ２３）」が決定された場合は、本願補正発明の「予告演出を決定する種別決定手段により」「予告演出不実行種別が決定されたとき」を意味するものであり、刊行物２記載の事項における「ランダム４カウンタのカウント値を読み出す処理（Ｓ７）（Ｓ２５）を行わ」ないことは、本願補正発明の「予告演出実行種別に属する予告演出を決定する処理を行わ」ないことを意味するものであり、刊行物２記載の事項における「ランダム３カウンタのカウント値を読み出す処理（Ｓ３）（Ｓ１９）」により、「「大当り予告１」（Ｓ４）」が決定された場合は、本願補正発明の「予告演出を決定する種別決定手段により」「予告演出実行種別が決定されたとき」を意味するものであり、刊行物２記載の事項における「ランダム４カウンタのカウント値を読み出す処理（Ｓ７）により予告内容を決定」することは、本願補正発明の「予告演出実行種別に属する予告演出のうちから実行する予告演出を決定」することを意味するものである。
　そして、刊行物２記載の事項においては、可変表示装置が大当たりを発生させる制御を行う場合も、外れとなる制御を行う場合も同様の処理を行うことが記載されている。
　したがって、刊行物２記載の事項の主な内容を、本願補正発明の用語を用いて表現すると、「大当り、外れのいずれの場合も予告演出種別を決定する種別決定手段により予告演出不実行種別が決定されたときには、予告演出実行種別に属する予告演出を決定する処理を行わず、前記種別決定手段により予告演出実行種別が決定されたときには、予告演出実行種別に属する予告演出のうちから実行する予告演出を決定する遊技機。」が記載されているといえる。
　刊行物１発明と刊行物２記載の事項とは、大当り、外れのいずれの場合も予告演出を決定する処理を行う遊技機である点で共通するとともに、予告演出を決定する処理の内容として、予告演出の実行、不実行を最初に決定し、その後、予告演出を実行する場合に複数の予告演出の中から実行する予告演出を決定する処理を含む点において共通するものである。
　また、刊行物１発明における「予告演出なしモード」では、予告演出を行わないから、予告演出に用いる予告要素は決める必要のないものであり、制御を実行するフローチャート等において、このような予告要素を決める処理を行わないことは当業者が適宜なし得たものであるともいえる。
　以上をふまえると、刊行物１発明における演出モード選択手段１２７によって決定された予告演出なしモードに関して、刊行物２記載の事項の「予告なし」（Ｓ６）（Ｓ２３）の場合にはランダム４カウンタのカウント値を読み出す処理（Ｓ７）（Ｓ２５）を行わずに次のステップに進む点を適用し、予告演出の内容を規定する予告要素を決定する予告要素選択手段１２８の処理を行わないように構成し、上記相違点に係る本願補正発明の構成とすることは、当業者が容易になし得たことである。
イ　本願補正発明が奏する効果について
　上記相違点によって本願補正発明が奏する効果は、当業者が刊行物１発明及び刊行物２記載の事項から予測し得る程度のものであって、格別のものではない。　
ウ　請求人の主張について
　請求人は、平成２８年８月３０日付け上申書において、「引用文献２では、大当り予告として、「大当り予告１」と「大当り予告２」という予告演出が開示されていますが、引用文献２の段落００２４と段落００２７との記載内容を比較検討しますと、大当り予告１が大当り決定時専用の予告演出であり、大当り予告２がはずれ決定時専用の予告演出です。
　これらは、表示結果決定状態別の専用の予告演出です。したがいまして、たとえば、大当り決定時には、大当り予告として「大当り予告１」しか選択肢がありません。一方、はずれ決定時には、大当り予告として「大当り予告２」しか選択肢がありません。このように、「大当り予告１」と「大当り予告２」とは、選択可能となる遊技状況が異なります。遊技中に、大当り決定とはずれ決定との両方がされている遊技状況は、現実的に生じませんので、大当り予告を「大当り予告１」と「大当り予告２」との複数種類の大当り予告から選択するような遊技状況は実質的に生じ得ません。
　したがいまして、引用文献２では、大当り予告として「大当り予告１」と「大当り予告２」とが記載されていますが、実質的な遊技状態において、選択可能な大当り予告は、大当り決定時でも、はずれ決定時でもともに１種類のみです。」（第４頁第１９〜３２行）
と主張する。
　確かに、刊行物２（請求人の主張する「引用文献２」に相当する。）においては、大当り決定時には、「大当り予告１」、「リーチ予告」、「予告なし」から選択するものであり、はずれ決定時には「大当り予告２」、「リーチ予告」、「予告なし」から選択するものであり、それぞれの状況において複数種類の大当たり予告から選択することは直接的には記載されていない。
　しかしながら、大当り予告を複数種類の大当り予告から選択する点は、上記「第１　３（１）」で検討したとおり、刊行物１に記載されており、刊行物１発明においても「当否判定結果を遊技者に予告する際の予告演出モードとして、複数の予告演出モード、および、予告演出なしモードのうち、何れかを選択する演出モード選択手段１２７」の構成から導かれるから、上記「第１　３（４）ア」で検討したとおり、刊行物１発明に刊行物２記載の事項を適用することにより、本願補正発明は当業者が容易になし得たことであるといえる。
　もっとも、大当り決定時における「リーチ予告」は、最終的には大当りとなるものであるから、遊技者にとってみれば「特定状態（大当り）に制御されることを示唆する」予告とみることもできるものであり、その場合には、刊行物２には、本願補正発明における「特定状態に制御されることを示唆する複数の予告演出」と「複数種類の予告演出実行種別を含む演出種別のうちいずれかを決定する種別決定手段」が記載されているということもできる。
　よって、請求人の上記主張は採用できない。
　
（５）まとめ
　以上のように、本願補正発明は、当業者が刊行物１発明及び刊行物２記載の事項に基づいて容易に発明をすることができたものであるから、特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１〜３に係る発明は、平成２７年８月３１日付け手続補正書により補正された特許請求の範囲の請求項１〜３に記載されたとおりのものであるところ、その請求項１に係る発明（以下「本願発明」という。）は次のとおりである。
「【請求項１】
Ａ　変動表示を行ない、遊技者にとって有利な特定状態に制御可能な遊技機であって、
Ｂ　前記特定状態に制御するか否かを決定する決定手段と、
Ｃ　前記決定手段による決定に基づいて、変動表示を実行する変動表示実行手段と、
Ｄ　前記決定手段による決定に基づいて、前記特定状態に制御される可能性があることを報知する複数の予告演出のうちから実行する予告演出を決定する予告演出決定手段と、
Ｅ　前記予告演出決定手段により決定された予告演出を実行する予告演出実行手段とを備え、
Ｆ　前記予告演出決定手段は、
Ｆ１　　予告演出を実行しない予告演出不実行種別、および、予告演出を実行する演出態様に基づいて分類された複数種類の予告演出実行種別を含む演出種別のうちいずれかを決定する種別決定手段と、
Ｆ２　　前記種別決定手段により前記予告演出不実行種別が決定されずに前記予告演出実行種別のいずれかが決定されたときに、決定された前記予告演出実行種別に属する予告演出のうちから実行する予告演出を決定する予告決定手段とを含む、遊技機。」
２　刊行物  
　刊行物１及びその記載事項、並びに刊行物１発明は、上記「第２　３（１）」に記載したとおりである。  
  
３　対比・判断  
　本願発明は、本願補正発明を特定するために必要な事項である「予告演出決定手段」に関して、「ことを示唆する」を省いて、「可能性があることを報知」とするとともに、「予告決定手段」に関して、「たときに実行する予告演出を決定する処理を行なわず、前記種別決定手段により」「処理を行う」を省いたものである。
　本願発明と刊行物１発明とを対比する。
　（ａ）〜（ｃ）、（ｅ、ｆ）、（ｆ１）については、上記「第２　３（３）」において検討したとおりである。
（ｄ）刊行物１発明において、予告演出により報知を行うことは自明な事項であるから、刊行物１発明の「特別遊技への移行可能性をある程度判断させることができる予告演出」は、本願補正発明の「特定状態に制御される可能性があることを報知する」「予告演出」に相当する。
  さらに、刊行物１発明においては、「複数の予告演出モード」「のうち、何れかを決定する」から、刊行物１発明の「予告演出決定手段１２５」は、「複数の予告演出のうちから実行する予告演出を決定する」といえる。
　よって、刊行物１発明の「当否判定手段１１４による当否判定結果に基づいて、特別遊技への移行可能性をある程度判断させることができる予告演出の内容を決定する予告演出決定手段１２５」は、本願補正発明の「決定手段による決定に基づいて、特定状態に制御される可能性があることを報知する複数の予告演出のうちから実行する予告演出を決定する予告演出決定手段」に相当する。
（ｆ２）刊行物１発明において「予告演出の内容を規定する予告要素を決定する」のは、演出モード選択手段１２７によって「演出なし」が決定されていないときであることは自明な事項である。
　よって、刊行物１発明の「演出モード選択手段１２７によって決定された「演出なし」の予告演出モードについては、予告要素として、何ら予告が成されない旨を規定するもののみが用意され、前記演出モード選択手段１２７によって決定された予告演出モードについて定められた複数の予告要素の中から、予告演出の内容を規定する予告要素を決定する予告要素選択手段１２８」は、本願補正発明の「種別決定手段により予告演出不実行種別が決定されずに予告演出実行種別のいずれかが決定されたときに、決定された前記予告演出実行種別に属する予告演出のうちから実行する予告演出を決定する予告決定手段」に相当する。
　よって、本願発明と刊行物１発明とは、全ての点で一致し相違点はない。
　
４　むすび  
　以上のとおりであるから、本願発明は、特許法第２９条第１項第３号の規定により特許を受けることができない。  
　したがって、その余の請求項について検討するまでもなく、本願は、拒絶されるべきものである。  
　よって、結論のとおり審決する。